(57)【特許請求の範囲】
【請求項１】
同一トラックを少なくとも２チャンネルのヘッドで再生し、各々のヘッドから再生されたデータを集めて１トラックを構成するようなノントラッキング再生装置において、
記録された同一トラックを再生可能なＫチャンネル（Ｋは２以上の自然数）の再生ヘッドと、
前記Ｋチャンネルの再生ヘッドより再生されたデータを復調し、再生データのシンクブロック毎に挿入されているシンクブロック番号とトラック番号を検出する復調手段と、
前記復調手段により復調された再生データを前記シンクブロック毎にエラー訂正する内符号訂正手段と、
各再生チャンネルに対応したＫ個の領域を有し、かつＮ（Ｎは２以上の整数）個のメモリ面を有するバッファーメモリと、
前記内符号訂正手段より出力された再生データを書きこむべき前記バッファーメモリのメモリ面の番号と前記内符号訂正手段より出力される内符号訂正の結果をシンクブロック毎かつチャンネル毎に記憶しておく第１の情報メモリと、
前記内符号訂正手段により出力された各チャンネルの再生データを、夫々前記シンクブロック番号とトラック番号と該当する領域の前記第１の情報メモリに格納されているメモリ面番号に従って、前記バッファーメモリに書きこむメモリ書きこみ手段と、
前記バッファーメモリから再生データを読み出し、前記第１の情報メモリを参照しながら、Ｋチャンネルの再生データから状態の良いチャンネルの再生データを選択して外符号訂正をし、読み出されたメモリアドレスに外符号訂正されたデータを書き戻す外符号訂正手段と、
前記外符号訂正手段の結果、エラー検出されなかったシンクブロックのみ、そのシンクブロックが書きこまれていた面番号を次の面番号になるように、第１の情報メモリを書きかえる書きこみ面番号制御手段と、
外符号訂正が前記バッファーメモリの１面分終わる毎に前記バッファーメモリのＮ個の出力面を順番に切り替えて行く出力面の制御手段と、
エラーが無いシンクブロックは前記外符号訂正手段により選択されたシンクブロックの選択チャンネル番号とメモリ面番号を記憶し、エラーと検出されたシンクブロックは１個前の出力面で選択された当該シンクブロックの選択チャンネル番号とメモリ面番号を記憶しておく第２の情報メモリと、
前記第２の情報メモリに格納されている該当する出力面の各シンクブロック毎に格納されている前記選択チャンネル番号と前記メモリ面番号の示すアドレス位置のデータを前記バッファーメモリより読み出すメモリ読み出し手段とを具備することを特徴とした再生装置。
【請求項２】
磁気テープを１倍速再生のスピードのＭ倍（Ｍは２以上の整数）で走行させ、同一トラックを少なくとも２チャンネルのヘッドで再生し、各々のヘッドが再生されたデータを集めて１トラックを構成するようなノントラッキング再生を行うＭ倍速再生装置において、
記録されたトラックを再生可能なＫチャンネル（Ｋは２以上の自然数）の再生ヘッドと、
前記Ｋチャンネルの再生ヘッドより再生されたデータを復調し、再生データのシンクブロック毎に挿入されているシンクブロック番号とトラック番号を検出する復調手段と、
前記復調手段により復調された再生データを前記シンクブロック毎にエラー訂正する内符号訂正手段と、
各再生チャンネルに対応したＫ個の領域を有し、かつ（Ｎ＊Ｍ）（Ｎは２以上の整数）個のメモリ面を有するバッファーメモリと、
前記内符号訂正手段より出力された再生データを書きこむべき前記バッファーメモリのメモリ面の番号と前記内符号訂正手段より出力される内符号訂正の結果をシンクブロック毎かつチャンネル毎に記憶しておく第１の情報メモリと、
前記内符号訂正手段により出力された各チャンネルの再生データを、夫々前記シンクブロック番号とトラック番号と該当する領域の前記第１の情報メモリに格納されているメモリ面番号に従って、前記バッファーメモリに書きこむメモリ書きこみ手段と、
前記バッファーメモリから再生データを読み出し、前記第１の情報メモリを参照しながら、Ｋチャンネルの分割された再生データから状態の良いチャンネルの再生データを選択して外符号訂正をし、読み出されたメモリアドレスに外符号訂正されたデータを書き戻す外符号訂正手段と、
前記外符号訂正手段の結果、外符号訂正可能であったシンクブロックのみ、そのシンクブロックが書きこまれていた面番号を次の面番号になるように、第１の情報メモリを書きかえる書きこみ面番号制御手段と、
前記Ｎ個の面番号を有し、前記バッファーメモリのＭ個の面に対応した数の外符号訂正が終わる毎に前記バッファーメモリの出力面を切り替えて行く出力面の制御手段と、
エラーが無いシンクブロックは前記外符号訂正手段により選択されたシンクブロックの選択チャンネル番号とメモリ面番号を記憶し、エラーと検出されたシンクブロックは１個前の出力面で選択された当該シンクブロックの選択チャンネル番号とメモリ面番号を記憶しておく第２の情報メモリと、
前記第２の情報メモリに格納されている該当する出力面の各シンクブロック毎に格納されている前記選択チャンネル番号と前記メモリ面番号の示すアドレス位置のデータを前記バッファーメモリよりＭ面分読み出すメモリ読み出し手段とを具備することを特徴とした再生装置。
【発明の詳細な説明】
【０００１】
【発明の属する技術分野】
本発明は、複数のチャンネルで記録されたディジタル信号に対し、ノントラキング再生と修整を行うディジタル信号の再生装置に関する。
【０００２】
【従来の技術】
近年、画像データの処理装置は急速にディジタル化が進んでいる。例えば、業務用ＶＴＲでは、アナログ記録方式ＶＴＲから、非圧縮のデジタル信号を記録するＶＴＲ（例えば、Ｄ１，Ｄ２，Ｄ３，Ｄ５）、そして映像信号を高能率符号化により圧縮して記録するＶＴＲ（例えば、ＤＶＣＰＲＯ）のように、アナログからディジタルへ、またディジタルの非圧縮から圧縮へと変遷している。また、民生用ＶＴＲでは、アナログ方式のＶＨＳから、画像データをＤＣＴ、ハフマン符号により高能率符号化して記録する圧縮方式のＤＶ−ＶＴＲに変遷している。
【０００３】
これらのディジタルＶＴＲで広く採用されているのがエラー訂正という技術である。ディジタルＶＴＲでは、記録時にエラー訂正符号を付加して記録し、再生時には、記録時に付加したエラー訂正符号を復号することにより、テープ・ヘッド系で発生したエラーを除去している。
【０００４】
一般にディジタルＶＴＲのエラー訂正符号は、外符号と内符号によって構成される積符号が用いられている。例えば、ＤＶＣＰＲＯでは、１トラック単位に積符号が構成されている。図１１は、ＤＶＣＰＲＯの積符号の模式図である。同図に示すように、シンクブロック単位にメモリの行方向に１３８シンクブロックのデータを書きこみ、全てのシンクブロックの書きこみが終了した時点で、１ワード毎にメモリの行方向に読み出して１１ワードの外符号訂正符号を付加して、再度メモリに書き戻している。ＤＶＣＰＲＯでは、１シンクブロックが７７ワードで構成されているので７７回、前述の動作を行い、７７個の外符号を構成している。外符号訂正符号を付加した後、メモリの列方向に７７ワード読み出し、内訂正符号を８ワード付加している。この動作を（１３８＋１１）シンクブロック分行い積符号を生成して、磁気テープに記録している。
【０００５】
また、再生時は、上記の記録時とは逆の処理が行われる。すなわち、磁気テープから再生されたデータをシンクブロック単位に内符号訂正を行う。内符号訂正されたデータは、メモリの所定位置に書き込まれる。再生時においても、記録時と同様にメモリの１行分が１シンクブロックに対応している。１トラックあたり１４９シンクブロックのデータが書き終わると、１ワード毎にメモリの行方向に読み出され外符号訂正をされる。外符号訂正されたデータは、再度メモリの同一アドレスに格納される。これらの動作を７７回繰り返しておこない、１トラック分の外符号訂正が終了する。外符号訂正されたデータは、再度シンクブロック単位で行方向に読み出され、圧縮データバスとして出力される。
【０００６】
ところで、業務用ＶＴＲにおいては、１倍速再生のほかにスロー再生が強く要望されている。１倍速再生の場合は、再生ヘッドが磁気テープの再生トラックにオントラックして再生しているので、再生ヘッドの１スキャンで内符号訂正、外符号訂正を完結することができる。しかし、スロー再生の場合について考察すると、例えば、トラック幅と同一幅の再生ヘッドで再生する場合は、全体の５０％はオフトラックになるので、１／２倍速再生以上のスロー再生は困難であった。
【０００７】
上記の課題を解決する手法として、１トラックを２個以上の再生ヘッドで再生するノントラッキング再生が考えられる。例えば、２個のヘッドによるノントラッキング再生では、第１のヘッドを１倍速再生でオントラックするドラムシリンダの位置に取りつけ、もう一方の再生ヘッドを、スロー再生時に第１のヘッドで取得されないデータを補間することが可能なドラムシリンダ位置に取り付けている。そして、２個のヘッドより再生されたデータを内符号訂正して、同一内符号ブロックで良い方の内符号ブロックを選択して外符号訂正をすることによりノントラッキング再生を実現している。
【０００８】
特開平９−１３９０１９号公報では、２個の再生ヘッドによって再生されたデータをそれぞれ、内符号訂正して第１のバッファーメモリに格納することによって２個のヘッドからの再生データの時間差を削除した後に、エラー状態の良い方の再生データを選択する。そして、良いほうの再生データを第２のバッファーメモリの行方行に書きこみ、列方向に読み出して外符号訂正をしている。
【０００９】
【発明が解決しようとする課題】
しかしながら、上記従来の構成では、２個の再生ヘッドより、エラーレートの良い方の再生データを選択するために時間をあわせるバッファーメモリと、さらに内符号訂正したデータを書きこみ外符号訂正するためのインターリーブメモリが必要であり、例えば、エラー訂正回路とメモリ制御回路をＬＳＩ化した場合、周辺部品として比較的大容量の２個のメモリが必要であった。
【００１０】
本発明は、上記従来課題を解決するものであり、ノントラック回路をＬＳＩ１個とメモリ１個で実現可能にすることを目的とする。
【００１１】
また、１倍速以上でのノントラッキング再生も、同様にＬＳＩ１個とメモリ１個で実現可能な回路構成を提供する。
【００１２】
【課題を解決するための手段】
この課題を解決するために本発明は、記録された同一トラックを再生可能なＫチャンネル（Ｋは２以上の自然数）の再生ヘッドと、Ｋチャンネルの再生ヘッドより再生されたデータを復調し、再生データのシンクブロック毎に挿入されているシンクブロック番号とトラック番号を検出する復調手段と、復調手段により復調された再生データをシンクブロック毎にエラー訂正する内符号訂正手段と、各再生チャンネルに対応したＫ個の領域を有し、かつＮ（Ｎは２以上の整数）個のメモリ面を有するバッファーメモリと、内符号訂正手段より出力された再生データの書き込むべきバッファーメモリのメモリ面の番号と内符号訂正手段より出力される内符号訂正の結果をシンクブロック毎かつチャンネル毎に記憶しておく第１の情報メモリと、内符号訂正手段により出力された各チャンネルの再生データを、夫々シンクブロック番号とトラック番号と該当する領域の第１の情報メモリに格納されているメモリ面番号に従って、バッファーメモリに書きこむ制御するメモリ書き込み手段と、バッファーメモリから再生データを読み出し、第１の情報メモリを参照にしながらＫチャンネルの再生データから状態の良いチャンネルの再生データを選択して外符号訂正をし、読み出されたメモリアドレスに外符号訂正されたデータを書き戻す外符号訂正手段と、外符号訂正手段の結果、外符号訂正可能であったシンクブロックのみ、そのシンクブロックが書き込まれていた面番号を次の面番号になるように、第１の情報メモリを書き換える書きこみ面番号制御手段と、外符号訂正がバッファーメモリの１面分終わる毎にバッファーメモリのＮ個の出力面を順番に切り替えて行く出力面の制御手段と、エラーが無いシンクブロックは外符号訂正手段により選択されたシンクブロックの選択チャンネル番号とメモリ面番号を記憶し、エラーと検出されたシンクブロックは１個前の出力面で選択された当該シンクブロックの選択チャンネル番号とメモリ面番号を記憶しておく第２の情報メモリと、第２の情報メモリに格納されている該当する出力面の各シンクブロック毎に格納されている選択チャンネル番号とメモリ面番号の示すアドレス位置のデータをバッファーメモリより読み出すメモリ読み出し手段とを具備している。
【００１３】
これにより、内符号訂正後バッファーメモリの所定アドレスに格納したデータは、外符号訂正後も同一アドレスに格納されるので１個のバッファーメモリでノントラック処理をすることができる。また、前の面の同一アドレスには、外符号訂正できた最新のデータが格納されているので、外符号訂正により訂正できなかったデータについては、前の面のデータを出力することにより修整動作が実現可能である。
【００１４】
また、記録されたトラックを再生可能なＫチャンネル（Ｋは２以上の自然数）の再生ヘッドと、Ｋチャンネルの再生ヘッドより再生されたデータを復調し、再生データのシンクブロック毎に挿入されているシンクブロック番号とトラック番号を検出する復調手段と、復調手段により復調された再生データをシンクブロック毎にエラー訂正する内符号訂正手段と、各再生チャンネルに対応したＫ個の領域を有し、かつ（Ｎ×Ｍ）（Ｎは２以上の整数）個のメモリ面を有するバッファーメモリと、内符号訂正手段より出力された再生データの書き込むべきバッファーメモリのメモリ面の番号と内符号訂正手段より出力される内符号訂正の結果をシンクブロック毎かつチャンネル毎に記憶しておく第１の情報メモリと、内符号訂正手段により出力された各チャンネルの再生データを、夫々シンクブロック番号とトラック番号と該当する領域の第１の情報メモリに格納されているメモリ面番号に従って、バッファーメモリに書き込む制御するメモリ書き込み手段と、バッファーメモリから再生データを読み出し、第１の情報メモリを参照にしながら、Ｋチャンネルの分割された再生データから状態の良いチャンネルの再生データを選択して外符号訂正をし、読み出されたメモリアドレスに外符号訂正されたデータを書き戻す外符号訂正手段と、外符号訂正手段の結果、外符号訂正可能であったシンクブロックのみ、そのシンクブロックが書きこまれていた面番号を次の面番号になるように、第１の情報メモリを書き換える書きこみ面番号制御手段と、Ｎ個の面番号を有し、バッファーメモリのＭ個の面に対応した数の外符号訂正が終わる毎にバッファーメモリの出力面を切り替えて行く出力面の制御手段と、エラーが無いシンクブロックは外符号訂正手段により選択されたシンクブロックの選択チャンネル番号とメモリ面番号を記憶し、エラーと検出されたシンクブロックは１個前の出力面で選択された当該シンクブロックの選択チャンネル番号とメモリ面番号を記憶しておく第２の情報メモリと、第２の情報メモリに格納されている該当する出力面の各シンクブロック毎に格納されている選択チャンネル番号とメモリ面番号の示すアドレス位置のデータをバッファーメモリよりＭ面分読み出すメモリ読み出し手段とを具備している。
【００１５】
これにより、内符号訂正、外符号訂正は１面毎にバッファーメモリのメモリ面を更新していき、出力面がＭ面毎に更新していくので、ノントラッキングによるＭ倍速再生時に、Ｍ面のデータを出力することが可能になり、Ｍ倍速再生を実現できる。
【００１６】
また、出力面はＭ面毎に更新していくが、第１及び第２の情報メモリに格納されている面番号は外符号訂正の結果に従って１面毎に更新していき、外符号訂正によって訂正できなかった場合は１面前のデータを読み出しているので、修整動作も実現することができる。
【００１７】
【発明の実施の形態】
本発明の第１の発明は、同一トラックを少なくとも２チャンネルのヘッドで再生し、各々のヘッドから再生されたデータを集めて１トラックを構成するようなノントラッキング再生を行う装置であって、記録された同一トラックを再生可能なＫチャンネル（Ｋは２以上の自然数）の再生ヘッドと、前記Ｋチャンネルの再生ヘッドより再生されたデータを復調し、再生データのシンクブロック毎に挿入されているシンクブロック番号とトラック番号を検出する復調手段と、前記復調手段により復調された再生データを前記シンクブロック毎にエラー訂正する内符号訂正手段と、各再生チャンネルに対応したＫ個の領域を有し、かつＮ（Ｎは２以上の整数）個のメモリ面を有するバッファーメモリと、前記内符号訂正手段より出力された再生データの書きこむべき前記バッファーメモリのメモリ面の番号と前記内符号訂正手段より出力される内符号訂正の結果をシンクブロック毎かつチャンネル毎に記憶しておく第１の情報メモリと、前記内符号訂正手段により出力された各チャンネルの再生データを、夫々前記シンクブロック番号とトラック番号と該当する領域の前記第１の情報メモリに格納されているメモリ面番号に従って、前記バッファーメモリに書きこむ制御するメモリ書きこみ手段と、前記バッファーメモリから再生データを読み出し、前記第１の情報メモリを参照にしながら、Ｋチャンネルの再生データから状態の良いチャンネルの再生データを選択して外符号訂正をし、読み出されたメモリアドレスに外符号訂正されたデータを書き戻す外符号訂正手段と、前記外符号訂正手段の結果、外符号訂正可能であったシンクブロックのみ、そのシンクブロックが書きこまれていた面番号を次の面番号になるように、第１の情報メモリを書きかえる書きこみ面番号制御手段と、外符号訂正が前記バッファーメモリの１面分終わる毎に前記バッファーメモリのＮ個の出力面を順番に切り替えて行く出力面の制御手段と、エラーが無いシンクブロックは前記外符号訂正手段により選択されたシンクブロックの選択チャンネル番号とメモリ面番号を記憶し、エラーと検出されたシンクブロックは１個前の出力面で選択された当該シンクブロックの選択チャンネル番号とメモリ面番号を記憶しておく第２の情報メモリと、前記第２の情報メモリに格納されている該当する出力面の各シンクブロック毎に格納されている前記選択チャンネル番号と前記メモリ面番号の示すアドレス位置のデータを前記バッファーメモリより読み出すメモリ読み出し手段とを具備する。
【００１８】
これにより、内符号訂正後バッファーメモリの所定アドレスに格納したデータは、外符号訂正後も同一アドレスに格納されるので１個のバッファーメモリでノントラック処理をすることができる。また前の面の同一アドレスには、外符号訂正できた最新のデータが格納されているので、外符号訂正により訂正できなかったデータについては、前の面のデータを出力することにより修整動作が実現可能である。
【００１９】
また、本発明の第２の発明は、磁気テープを１倍速再生のスピードのＭ倍（Ｍは２以上の整数）で走行させ、同一トラックを少なくとも２チャンネルのヘッドで再生し、各々のヘッドが再生されたデータを集めて１トラックを構成するようなノントラッキング再生を行うＭ倍速の再生装置であって、記録されたトラックを再生可能なＫチャンネル（Ｋは２以上の自然数）の再生ヘッドと、前記Ｋチャンネルの再生ヘッドより再生されたデータを復調し、再生データのシンクブロック毎に挿入されているシンクブロック番号とトラック番号を検出する復調手段と、前記復調手段により復調された再生データを前記シンクブロック毎にエラー訂正する内符号訂正手段と、各再生チャンネルに対応したＫ個の領域を有し、かつ（Ｎ×Ｍ）（Ｎは２以上の整数）個のメモリ面を有するバッファーメモリと、前記内符号訂正手段より出力された再生データの書きこむべき前記バッファーメモリのメモリ面の番号と前記内符号訂正手段より出力される内符号訂正の結果をシンクブロック毎かつチャンネル毎に記憶しておく第１の情報メモリと、前記内符号訂正手段により出力された各チャンネルの再生データを、夫々前記シンクブロック番号とトラック番号と該当する領域の前記第１の情報メモリに格納されているメモリ面番号に従って、前記バッファーメモリに書きこむ制御するメモリ書きこみ手段と、前記バッファーメモリから再生データを読み出し、前記第１の情報メモリを参照にしながら、Ｋチャンネルの分割された再生データから状態の良いチャンネルの再生データを選択して外符号訂正をし、読み出されたメモリアドレスに外符号訂正されたデータを書き戻す外符号訂正手段と、前記外符号訂正手段の結果、外符号訂正可能であったシンクブロックのみ、そのシンクブロックが書きこまれていた面番号を次の面番号になるように、第１の情報メモリを書きかえる書きこみ面番号制御手段と、前記Ｎ個の面番号を有し、前記バッファーメモリのＭ個の面に対応した数の外符号訂正が終わる毎に前記バッファーメモリの出力面を切り替えて行く出力面の制御手段と、エラーが無いシンクブロックは前記外符号訂正手段により選択されたシンクブロックの選択チャンネル番号とメモリ面番号を記憶し、エラーと検出されたシンクブロックは１個前の出力面で選択され当該シンクブロックの選択チャンネル番号とメモリ面番号を記憶しておく第２の情報メモリと、前記第２の情報メモリに格納されている該当する出力面の各シンクブロック毎に格納されている前記選択チャンネル番号と前記メモリ面番号の示すアドレス位置のデータを前記バッファーメモリよりＭ面分読み出すメモリ読み出し手段とを具備する。
【００２０】
これにより、内符号訂正、外符号訂正は１面毎にバッファーメモリのメモリ面を更新していき、出力面がＭ面毎に更新していくので、ノントラッキングによるＭ倍速再生時にＭ面分のデータを出力することが可能になりＭ倍速再生を実現できる。
【００２１】
また、出力面はＭ面毎に更新していくが、第１及び第２の情報メモリに格納されている面番号は外符号訂正の結果に従って１面毎に更新していき、外符号訂正によって訂正できなかった場合は１面前のデータを読み出しているので修整動作も実現することができる。
【００２２】
以下、本発明の実施の形態について、図面を用いて説明する。
【００２３】
（実施の形態１)
本発明の実施の形態１によるディジタル信号の再生装置は、ドラムシリンダに１８０度対向で配置された８個の再生ヘッドを用いて、マイナス１倍からプラス１倍速までのノントラッキング再生を実現している。
【００２４】
図１は、本実施の形態による再生装置の構成を示すブロック図である。同図において、１は磁気テープ、２は１８０度対向で配置された８個の再生ヘッドを持つドラムシリンダ、３はドラムシリンダ２より再生された再生データの復調手段、４は復調手段３により復調されたデータの内符号訂正を行う内符号訂正手段、５は内符号訂正手段４により内符号訂正されたデータをバッファーメモリ７に書きこむ制御を行う内符号書きこみ制御手段、６は内符号ブロック毎に内符号訂正手段４による内符号訂正結果とバッファーメモリ７に書きこむべき面番号を格納しておく第１の情報メモリ、７はバッファーメモリ、８は第１の情報メモリ６に格納されている内符号訂正結果を参照にして、内符号訂正結果が良好なデータを選択してバッファーメモリ７から読み出し外符号訂正をして、バッファーメモリ７の読み出したアドレス位置に書き戻す外符号訂正手段、９は外符号訂正手段８の訂正結果、内符号ブロックのデータにエラーがない場合に、第１の情報メモリ６に格納されている面番号を１面進める書きこみ面番号の制御手段、１０はバッファーメモリ７の出力面に対応して、シンクブロック毎に外符号訂正手段８により選択された選択チャンネル番号と外符号訂正の対象とされた第１の情報メモリ６に格納されているメモリ面番号を記憶しておく第２の情報メモリ、１１はバッファーメモリ７の１面に対応した数の外符号訂正が終わる毎にバッファーメモリ７の出力面を切り替えて行く出力面の制御手段、１２は第２の情報メモリ１０の出力面に書かれている選択チャンネルと面番号のアドレスの示す位置のデータをバッファーメモリ７より読み出すメモリ読み出し手段、１３は出力データである。上記のように構成された再生装置の動作について詳細に説明する。
【００２５】
まず、本実施の形態での記録フォーマットについて説明する。図２は、テープフォーマットの模式図である。同図に示すように１フレーム分の映像信号が１０本のトラックに分かれて記録されている。
【００２６】
また、各トラックは、従来例で説明したように１４９個のシンクブロックから構成されている。１４９個のシンクブロックの内１３８個はデータ、１１ブロックは外符号訂正用パリティであり、各シンクブロックには内符号訂正用のパリティが付加されている。また、各シンクブロックには、トラック番号とシンクブロック番号を示すブロックＩＤが挿入されて記録されている。以上のように記録された磁気テープを１８０度対向にヘッド配置された４個の再生チャンネルでノントラッキング再生を行っている。４個の再生チャンネルの２チャンネルはプラスアジマス用の再生チャンネル、残りの２チャンネルはマイナスアジマス用の再生チャンネルである。ノントラック動作は同一アジマスチャンネル間で行う。
【００２７】
４個の再生チャンネルにより再生されたデータは復調手段３に入力され、再生データを復調するとともに、各シンクブロックに挿入されているトラック番号とシンクブロック番号を抽出している。復調手段３により復調されたデータは内符号訂正手段４に入力され、各再生チャンネル毎に内符号訂正される。
【００２８】
図３はバッファーメモリ７のメモリマップである。本バッファーメモリは各再生チャンネルに対応した４個の領域に分割される。即ち、プラスアジマスチャンネルはチャンネルＬ１とチャンネルＬ２、マイナスアジマスチャンネルはチャンネルＲ１とチャンネルＲ２である。さらに各再生チャンネル毎に４個の書きこみ面（面１〜面４）を有した構成している。
【００２９】
内符号訂正手段４により内符号訂正された各再生チャンネルのデータは、内符号書きこみ制御手段５に入力される。内符号書きこみ制御手段５では、各再生チャンネルの内符号訂正結果を第１の情報メモリ６に書きこむ。また、第１の情報メモリ６に格納されている書きこみ面番号に従って、各再生チャンネルに対応したバッファーメモリ７のメモリ領域に内符号訂正されたデータを書きこんでいる。
【００３０】
図４に第１の情報メモリ６のメモリマップを示す。図４では簡単のために１本のトラックのメモリマップを示しているが、実際は各トラック毎に図４に示した構造のメモリマップが存在している。同図に示すように、各再生チャンネルの各シンクブロック毎に内符号訂正結果と、後述する書きこみ面番号制御手段９で発生するバッファーメモリ７の書きこみ面の面番号が格納されている。
【００３１】
内符号書きこみ制御手段５によりバッファーメモリ７に書きこまれたデータは、外符号訂正手段８によって読み出される。図５に外符号訂正手段８がバッファーメモリ７からデータを読み出すタイミングを示す。図５に示すように、例えばトラック１を外符号訂正するタイミングは、後行するＬ２チャンネルのトラック４のシンクブロックが取れ初めてから外符号訂正を行っている。このように各トラックの外符号訂正は、該当トラックのシンクブロックが取得されないようになってから行うようにしている。また外符号訂正手段８では、バッファーメモリ７より読み出されたデータから、第１の情報メモリ６に格納されている内符号訂正結果を参照にしながら２個の再生チャンネルで内符号訂正結果の良い方のシンクブロックデータを選択して外符号訂正している。外符号訂正されたデータは再度読み出されたバッファーメモリ７の格納位置に書き戻される。
【００３２】
書きこみ面番号制御手段９では、外符号訂正手段８の結果に対応して第１の情報メモリ６に格納されているバッファーメモリ７の書きこみ面番号を制御している。つまり、外符号訂正が可能であった場合は、外符号訂正手段８によって選択されたシンクブロックの面番号のみを次の面番号に進めている。また、外符号訂正できなかった場合は、外符号訂正手段８によって選択されたシンクブロックで、内符号訂正結果が良好であったシンクブロックの面番号のみを次の面番号に進めている。このように外符号訂正処理が終了する毎に内符号訂正したデータを書きこむバッファーメモリ７の面を１面進めるように制御することによって、エラーのないシンクブロックのデータは順次更新された当該チャンネルのバッファーメモリ面に書きこまれて行く。これに対して、エラーと判定されたシンクブロックのデータはバッファーメモリ７の面が更新されないので同一面に上書きされていく。例えば、オントラック再生のように片側のチャンネルの再生データのみが選択されると片側のチャンネルのバッファーメモリ面番号のみが更新され、もう一方のチャンネルは初期状態のままになる。
【００３３】
さらに、外符号訂正手段８では、外符号訂正の結果によりエラーのないと判定されたシンクブロックは外符号訂正の対象となった選択された再生チャンネルとそのメモリ面番号を、第２の情報メモリ１０に書きこみ、エラーと判断されたシンクブロックは第２の情報メモリ１０の１面前に格納されている再生チャンネルとそのメモリ面番号をコピーして書きこんでいる。
【００３４】
出力面制御手段１１は外符号訂正手段８が１フレームを構成している１０トラック分の外符号訂正を行う毎に出力面を次の面に進める動作をしている。よって、再生速度に対応したスピードで出力面が更新していくことになる。例えば１／２倍速再生では、同一の出力面が２回繰り返される。
【００３５】
図６は第２の情報メモリ１０のメモリマップである。同図に示すように、第２の情報メモリ１０では、各出力面の各シンクブロック毎に再生チャンネルとバッファーメモリ７のメモリ面番号を格納している。メモリ読み出し手段１２では、第２の情報メモリ１０に格納されている再生チャンネルとメモリ面番号情報を参照にしながらバッファーメモリ７よりデータを読み出している。
【００３６】
よって本実施の形態では、第１の情報メモリ６を参照にして、エラーのないシンクブロックのデータを選択して外符号訂正を行って元のバッファーメモリ７のアドレス位置に書き戻す。エラーが無いと判定されたシンクブロックは当該再生チャンネルのバッファーメモリ７の書きこみ面を１面進めると共に、選択された再生チャンネル番号とバッファーメモリ７の面番号を第２の情報メモリ１０に書きこみ、エラーと判定されたシンクブロックは１個前の出力面に格納されている第２の情報メモリ１０のデータを当該出力面にコピーして書きこみ、第２の情報メモリ１０に従ってバッファーメモリ７からデータをよみだすので、ノントラッキング再生動作と修整動作を兼用して行うことが可能になる。
【００３７】
（実施の形態２）
本発明の実施の形態２は、ドラムシリンダに１８０度対向で配置された１６個の再生ヘッドを用いて、プラス２倍速のノントラッキング再生を実現している。
【００３８】
図７は、本実施の形態によるディジタル信号の再生装置の構成を示すブロック図である。同図において、２０は１８０度対向で配置された１６個の再生ヘッドを持つドラムシリンダ、２１はバッファーメモリ、２２は内符号ブロック毎に内符号訂正手段４による内符号訂正結果とバッファーメモリ２１に書きこむべき面番号を格納しておく第１の情報メモリ、２３はバッファーメモリ２１の出力面に対応して、シンクブロック毎に外符号訂正手段８により選択された選択チャンネル番号と外符号訂正の対象とされた第１の情報メモリ２２に格納されているメモリ面番号を記憶しておく第２の情報メモリである。２４は出力面制御手段で、２面分外符号訂正が終了すると出力面を更新して行く。図１と同じ符号を付した構成要件は、実施の形態１と同一であるので、その説明を省略する。上記のように構成された再生装置の動作について詳細に説明する。
【００３９】
本実施の形態の記録フォーマットは、実施の形態１と同一であり、１フレームが１０本のトラックに分かれて記録されている。各トラックは従来例で説明したように１４９個のシンクブロックから構成されている。１４９個のシンクブロックの内１３８個はデータ、１１ブロックは外符号訂正用パリティであり、各シンクブロックには内符号訂正用のパリティが付加されている。また、各シンクブロックには、トラック番号とシンクブロック番号を示すブロックＩＤが挿入されて記録されている。以上のように記録された磁気テープを１８０度対向にヘッド配置された８個の再生チャンネルでノントラッキング再生を行っている。８個の再生チャンネルの４チャンネルはプラスアジマス用の再生チャンネル、残りの４チャンネルはマイナスアジマス用の再生チャンネルである。ノントラック動作は同一アジマスチャンネル間で行う。再生ヘッド数が実施の形態１と比べると２倍に増えているのは２倍速再生を行うためである。要するに、所定時間に２倍の再生データを取得する必要があり、その実現手段として再生ヘッド数を２倍にしている。
【００４０】
８個の再生チャンネルにより再生されたデータは復調手段３に入力され、再生データを復調するとともに、各シンクブロックに挿入されているトラック番号とシンクブロック番号を抽出している。復調手段３により復調されたデータは内符号訂正手段４に入力され、各再生チャンネル毎に内符号訂正される。復調手段３と内符号訂正手段４の数も、再生チャンネル数に比例して実施の形態１の２倍になっている。
【００４１】
図８はバッファーメモリ２１のプラスアジマスチャンネル側のメモリマップである。実際にはマイナスアジマス側で同一の構造を持ったメモリが存在している。本バッファーメモリは各再生チャンネルに対応した８個の領域に分割される。さらに各チャンネル毎に８個の書きこみ面を有した構成している。実施の形態１と比較すると再生チャンネルに対応して領域が倍になり、２倍速再生に対応して面も倍になっている。
【００４２】
内符号訂正手段４により内符号訂正された各再生チャンネルのデータは内符号書きこみ制御手段５に入力される。内符号書きこみ制御手段５では、各再生チャンネルの内符号訂正結果を第１の情報メモリ２２に書きこむ。また、第１の情報メモリ２２に格納されている書きこみ面番号に従って、各再生チャンネルに対応したバッファーメモリ２１のメモリ領域に内符号訂正されたデータを書きこんでいる。
【００４３】
図９に第１の情報メモリ２２のメモリマップを示す。図９では簡単のためにトラック１のメモリマップを示しているか、実際は各トラック毎に図９に示した構造のメモリマップが存在している。同図に示すように、各再生チャンネルの各シンクブロック毎に内符号訂正結果と、後述する書きこみ面番号制御手段９で発生するバッファーメモリ２１の書きこみ面の面番号が格納されている。実施の形態１と異なる点は、再生チャンネルに対応して本メモリの領域が倍になった点と、面番号が実施の形態１では４面だったのが８面に増加した点である。
【００４４】
内符号書きこみ制御手段５と外符号制御手段８と書きこみ面番号制御手段９の動作は実施の形態１とほぼ同一の動作を行うので詳細な説明は省略するが、書きこみ面番号制御手段は８面制御であることが実施の形態１と違っている点である。
【００４５】
出力面制御手段２４は外符号訂正手段８が１０トラック分の外符号訂正を２回合計２０トラック行う毎に出力面を次の面に進める動作をしている。つまりメモリの書きこみ面を２面分集めて１個の出力面を構成しているので、メモリ書き込み面が８面あるのに対して出力面は４面の構成になっている。すなわち、２面分外符号訂正をおこなってから出力面を更新し、２面分のデータを出力することによって２倍速再生に対応している。
【００４６】
図１０は第２の情報メモリ２３のメモリマップである。同図に示すように各出力面の各シンクブロック毎に再生チャンネルとバッファーメモリのメモリ面番号を格納している。
【００４７】
第２の情報メモリ２３に格納されているデータは実施の形態１と同じで、エラーが無いシンクブロックは外符号訂正手段８によって選択された再生チャンネル番号とバッファーメモリの面番号が格納されており、エラーと判定されたシンクブロックは１個前の出力面に格納されている第２の情報メモリのデータがコピーして格納されている。
【００４８】
メモリ読み出し制御手段２５では、第２の情報メモリ２３に格納されている再生チャンネルとメモリ面番号情報を参照にしながらバッファーメモリ２１より２面分のデータを読み出している。
【００４９】
よって本実施の形態２では、バッファーメモリ２１の書き込み面を８面で制御し、出力面を前記書きこみ面２面分を１面とした４面で制御して、１出力面毎に２面分のデータを出力するので、実施の形態１とほぼ同一の構成でノントラッキングの２倍速再生が実現できる。また、第１の情報メモリ２２と第２の情報メモリ２３のメモリ面番号は８面の構成で更新されていくので、修整動作は１面精度で行われ１倍速再生と同一の性能が保たれる。
【００５０】
【発明の効果】
以上説明したように、本発明の第１の発明では、複数の再生チャンネルより再生されたデータを内符号訂正してバッファーメモリに全て書きこみ、内符号訂正の結果を格納した第１の情報メモリを参照にして、エラーのないシンクブロックのデータを選択して外符号訂正を行ってバッファーメモリの元のアドレス位置に書き戻す。エラーが無いと判定されたシンクブロックは選択された再生チャンネル番号とバッファーメモリの面番号を第２の情報メモリに書きこみ、エラーと判定されたシンクブロックは１面前の出力面に格納されている第２の情報メモリのデータを当該出力面にコピーして書きこみ、第２の情報メモリに従ってバッファーメモリからデータを読み出すので、ノントラッキング再生動作と修整動作を兼用して行うことが可能である。
【００５１】
また、本発明の第２の発明では、書きこみ面番号制御手段でバッファーメモリの書きこみ面を８面で制御し、出力面制御手段で出力面を前記書きこみ面２面分を１面とした４面で制御して、１出力面毎に２面分のデータを出力するので、第１の発明とほぼ同一の構成でノントラッキングの２倍速再生が実現できる。さらに、第１の情報メモリと第２の情報メモリのメモリ面番号は８面の構成で更新されていくので、修整動作は１面精度で行われ１倍速再生と同一の性能が保たれる。
【図面の簡単な説明】
【図１】本発明の実施の形態１によるディジタル信号の再生装置の構成を示すブロック図
【図２】同再生装置の磁気テープに記録されたトラックの模式図
【図３】同再生装置のバーファーメモリのメモリマップを示す図
【図４】同再生装置の第１の情報メモリのメモリマップを示す図
【図５】同再生装置の内符号訂正と外符号訂正のタイミング図
【図６】同再生装置の第２の情報メモリのメモリマップを示す図
【図７】本発明の実施の形態２によるディジタル信号の再生装置の構成を示すブロック図
【図８】同再生装置のバッファーメモリのメモリマップを示す図
【図９】同再生装置の第１の情報メモリのメモリマップを示す図
【図１０】同再生装置の第２の情報メモリのメモリマップを示す図
【図１１】積符号を説明するための概念図
【符号の説明】
１  磁気テープ
２  ドラムシリンダ
３  復調手段
４  内符号訂正手段
５  内符号書きこみ手段
６  第１の情報メモリ
７  バッファーメモリ
８  外符号訂正手段
９  書きこみ面の制御手段
１０  第２の情報メモリ
１１  出力面の制御手段
１２  メモリ読み出し手段
【図１】
0003687428.tif 000002
【図２】
0003687428.tif 000003
【図３】
0003687428.tif 000004
【図４】
0003687428.tif 000005
【図５】
0003687428.tif 000006
【図６】
0003687428.tif 000007
【図７】
0003687428.tif 000008
【図８】
0003687428.tif 000009
【図９】
0003687428.tif 000010
【図１０】
0003687428.tif 000011
【図１１】
0003687428.tif 000012